(57)【要約】【課題】コネクタの低背化が可能であり、且つ、組み付け性が良好なコネクタを提供すること。【解決手段】コネクタ１は、導体芯線１１と導体芯線１１を覆う被覆１２とを含む電線１０であって電線１０から露出した導体芯線１１が相手側端子との接触部１３として機能する電線１０と、上方が開放されると共に電線１０を保持する電線収容部を有する板状のハウジング２０と、を備える。接触部１３の先端部分には、被覆１２側に向けて一側に折り返された折り返し部１４が設けられ、ハウジング２０における電線収容部の前方側端に位置する前端面には、前方側に開口すると共に前後方向に延びる溝２３が設けられている。折り返し部１４が溝２３に係止されることで、電線１０がハウジング２０に保持される。【選択図】図１６
2020087675.tif 000002
【特許請求の範囲】
【請求項１】
導体芯線と前記導体芯線を覆う被覆とを含む電線であって電線から露出した導体芯線が相手側端子との接触部として機能する電線と、
上方が開放されると共に前記電線を保持する電線収容部を有する板状のハウジングと、
を備え、
前記接触部の先端部分には、前記被覆側に向けて一側に折り返された折り返し部が設けられ、
前記ハウジングにおける前記電線収容部の前方側端に位置する前端面には、前方側に開口すると共に前後方向に延びる溝が設けられ、
前記折り返し部が前記溝に係止されることで、前記電線が前記ハウジングに保持される、コネクタ。
【請求項２】
請求項１に記載のコネクタにおいて、
前記折り返し部が前記溝の前方側に位置するように前記電線収容部に載置された前記電線を前記ハウジングに対して後方側に引き込むことで、前記折り返し部が前記溝に進入可能に構成された、コネクタ。
【請求項３】
請求項１又は請求項２に記載のコネクタにおいて、
前記接触部における前記一側とは反対の他側の側面に、前記相手側端子が接触する平面部が設けられた、コネクタ。
【発明の詳細な説明】
【技術分野】
【０００１】
本発明は、コネクタに関する。
【背景技術】
【０００２】
従来から、電線に接続された端子を収容する端子収容部を有するハウジングを備えたコネクタが広く知られている（例えば、特許文献１を参照）。この種のコネクタでは、端子収容部に収容されている端子の抜けを防止するための抜止機構を設ける必要がある。上記文献に記載のコネクタでは、端子収容部内に臨むようにハウジング側に設けられたランス（片持ち梁状の弾性片）を端子の段部に係止させることで、抜止機構が構成されている。
【先行技術文献】
【特許文献】
【０００３】
【特許文献１】特開２００４−１３４１８９号公報
【発明の概要】
【発明が解決しようとする課題】
【０００４】
近年、コネクタの低背化の要求が高まっている。ここで、抜止機構として、ハウジング側のランスと端子の段部との係止を利用する機構が採用される場合、ランスや端子の段部を設けるための上下方向のスペースが不可避的に必要となり、このスペースが、コネクタの低背化を妨げる要因の一つとなっていた。
【０００５】
他方、この問題は、抜止機構を抜本的に変更することで解決され得る。ただし、その際、組み付け性が低下しないことも非常に重要である。
【０００６】
本発明は、上述した事情に鑑みてなされたものであり、その目的は、コネクタの低背化が可能であり、且つ、組み付け性が良好なコネクタを提供することにある。
【課題を解決するための手段】
【０００７】
前述した目的を達成するために、本発明に係るコネクタは、下記（１）〜（３）を特徴としている。
（１）
導体芯線と前記導体芯線を覆う被覆とを含む電線であって電線から露出した導体芯線が相手側端子との接触部として機能する電線と、
上方が開放されると共に前記電線を保持する電線収容部を有する板状のハウジングと、
を備え、
前記接触部の先端部分には、前記被覆側に向けて一側に折り返された折り返し部が設けられ、
前記ハウジングにおける前記電線収容部の前方側端に位置する前端面には、前方側に開口すると共に前後方向に延びる溝が設けられ、
前記折り返し部が前記溝に係止されることで、前記電線が前記ハウジングに保持される、コネクタであること。
（２）
上記（１）に記載のコネクタにおいて、
前記折り返し部が前記溝の前方側に位置するように前記電線収容部に載置された前記電線を前記ハウジングに対して後方側に引き込むことで、前記折り返し部が前記溝に進入可能に構成された、コネクタであること。
（３）
上記（１）又は上記（２）に記載のコネクタにおいて、
前記接触部における前記一側とは反対の他側の側面に、前記相手側端子が接触する平面部が設けられた、コネクタであること。
【０００８】
上記（１）の構成のコネクタによれば、相手側端子と接触する端子を廃止し、電線の導体芯線自体を相手側端子と接触させることで、コネクタの低背化が達成可能である。更に、上方が開口した電線収容部に電線を載置し、その電線を後方側に引き込む、という極めて単純な動作を行うだけで、電線がハウジングに確実に保持され得る。以上より、コネクタの低背化が可能であり、且つ、端子に代わる電線の組み付け性が良好なコネクタを提供することができる。
【０００９】
上記（２）の構成のコネクタによれば、電線収容部に載置した電線を後方側に引き込むことで電線をハウジングに保持するために必要となる具体的な動作を提供することができる。
【００１０】
上記（３）の構成のコネクタによれば、平面部に相手側端子を接触させることで、接触面積を確保し、接触抵抗の増大を抑制できる。
【発明の効果】
【００１１】
本発明によれば、コネクタの低背化が可能であり、且つ、組み付け性が良好なコネクタを提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本実施形態に係るコネクタの斜視図である。
【図２】図２は、図１に示すコネクタの分解斜視図である。
【図３】図３は、相手側コネクタの斜視図である。
【図４】図４は、図３に示す相手側コネクタの分解斜視図である。
【図５】図５は、図２に示す電線の斜視図である。
【図６】図６は、図５の符号６で示した枠内を拡大した図である。
【図７】図７は、接触部を形成する前の段階の電線の斜視図である。
【図８】図８は、図２に示すハウジングの斜視図である。
【図９】図９は、ハウジングの正面図である。
【図１０】図１０は、図９の１０−１０線の断面図である。
【図１１】図１１は、図１０の符号１１で示した枠内を拡大した図である。
【図１２】図１２は、図１０の符号１２で示した枠内を拡大した図である。
【図１３】図１３は、ハウジングの電線収容部に電線を載置した状態を示す斜視図である。
【図１４】図１４は、図１３に示す状態における、図１１に対応する図である。
【図１５】図１５は、電線収容部に載置した電線を後方側に引き込んだ状態を示す斜視図である。
【図１６】図１６は、図１５に示す状態における、図１１に対応する図である。
【図１７】図１７は、図２に示す上カバーの斜視図である。
【図１８】図１８は、裏返した上カバーの斜視図である。
【図１９】図１９は、図１８の符号１９で示した枠内を拡大した図である。
【図２０】図２０は、図２に示す下カバーの斜視図である。
【図２１】図２１は、図２０の符号２１で示した枠内を拡大した図である。
【図２２】図２２は、図１に示すコネクタの正面図である。
【図２３】図２３は、図２２の２３−２３線の断面図である。
【図２４】図２４は、図２３の符号２４で示した枠内を拡大した図である。
【図２５】図２５は、図２３の符号２５で示した枠内を拡大した図である。
【図２６】図２６は、下カバー側における、図２４に対応する図である。
【図２７】図２７は、下カバー側における、図２５に対応する図である。
【図２８】図２８は、図２に示すコネクタカバーの斜視図である。
【図２９】図２９（ａ）は、図４に示す第１の相手側端子の斜視図であり、図２９（ｂ）は、図４に示す第２の相手側端子の斜視図である。
【図３０】図３０は、図２９に示す相手側端子の圧入部の拡大図である。
【図３１】図３１は、図４に示す相手側ハウジングの斜視図である。
【図３２】図３２は、相手側ハウジングを後方側から視た斜視図である。
【図３３】図３３は、図３２の符号３３で示した枠内を拡大した図である。
【図３４】図３４は、相手側端子の圧入部が相手側ハウジングの端子収容孔に圧入された状態を説明するための図である。
【図３５】図３５は、相手側ハウジングの背面図である。
【図３６】図３６は、図３５の３６−３６線の断面図である。
【図３７】図３７は、図３６の符号３７で示した枠内を拡大した図である。
【図３８】図３８は、相手側ハウジングの端子収容孔に相手側端子が収容された状態における、図３７に対応する図である。
【図３９】図３９は、ハウジングと相手側ハウジングとが嵌合した状態を示す斜視図である。
【図４０】図４０は、ハウジングと相手側ハウジングとが嵌合した状態における相手側ハウジングの背面図である。
【図４１】図４１は、図４０の４１−４１線の断面図である。
【図４２】図４２は、図４１における電線と相手側端子との接点の周りを拡大した図である。
【発明を実施するための形態】
【００１４】
＜実施形態＞
以下、図面を参照しながら、本発明の実施形態に係るコネクタ１について説明する。図１に示すコネクタ１は、図２に示すように、電線１０と、ハウジング２０と、カバー３０と、コネクタカバー４０と、を含んで構成される。コネクタ１と嵌合する図３に示す相手側コネクタ２は、図４に示すように、相手側端子５０Ａ，５０Ｂと、相手側ハウジング６０と、一対のペグ７０と、を含んで構成される。相手側ハウジング６０は、一対のペグ７０を利用して、基板（図示省略）に実装され固定されて使用される。以下、相手側端子５０Ａ，５０Ｂは、総称して、相手側端子５０と呼ぶこともある。
【００１５】
以下、説明の便宜上、図１に示すコネクタ１の軸方向（嵌合方向）において、相手側端子５０が挿入される側（図１において左側）を前方側とし、その反対側（図１において右側）を後方側と呼ぶ。また、図１において上側及び下側をそれぞれ、上側及び下側と呼ぶ。同様に、図３に示す相手側コネクタ２の軸方向（嵌合方向）において、電線１０が挿入される側（図３において右側）を前方側とし、その反対側（図３において左側）を後方側と呼ぶ。また、図３において上側及び下側をそれぞれ、上側及び下側と呼ぶ。以下、コネクタ１を構成する各部品について順に説明していく。
【００１６】
先ず、図５〜図７を参照しながら、電線１０について説明する。図５に示すように、電線１０は、導体芯線１１と、導体芯線１１を覆う被覆１２とを含んで構成されている。電線１０の先端部には端末処理が施されており、導体芯線１１の先端部が電線１０（被覆１２）から露出している。導体芯線１１は、単芯線である。
【００１７】
露出した導体芯線１１の先端部（図７参照）は、プレス成形により平板状（前後方向に延びる短冊状）に加工されて、相手側端子５０と接続する接触部１３を構成している。接触部１３の上面側の平面部に、相手側端子５０のばね板部５４（図２９参照）が押圧接触することで、電線１０と相手側端子５０とが電気的に接続される。
【００１８】
平板状の接触部１３の先端部分には、被覆１２側に向けて下方側に折り返された折り返し部１４が設けられている（特に、図６参照）。後述するように、折り返し部１４は、ハウジング２０に電線１０を保持（固定）する機能を果たす（図１６等参照）。
【００１９】
次に、図８〜図１６を参照しながら、ハウジング２０について説明する。図８に示すように、ハウジング２０は、矩形平板状のハウジング本体２１を備える。ハウジング本体２１の上下面それぞれには、複数の電線１０を収容するための複数の電線収容部が形成されている。ハウジング本体２１の上面側及び下面側の構成は、若干の相違はあるものの、大略的には同様であるので、以下、ハウジング本体２１の上面側の構成についてのみ説明する。
【００２０】
ハウジング本体２１の上面には、幅方向に間隔を空けて前後方向に延びる複数の立壁２２が一体に形成されている。各立壁２２は、幅方向に隣接する２つの電線収容部を仕切る機能を果たす。即ち、ハウジング本体２１の上面には、複数の立壁２２により仕切られると共に上方が開放された複数の電線収容部が幅方向に並ぶように形成されている。
【００２１】
図１０及び図１１（特に、図１１）に示すように、ハウジング２０における電線収容部の前方側端に位置する前端面には、幅方向における複数の電線収容部の位置（隣接する立壁２２の間の位置）に、前方側に開口すると共に前後方向に延びる溝２３が設けられている。後述するように、この溝２３は、ハウジング２０に電線１０を保持（固定）する機能を果たす。
【００２２】
図１０及び図１２（特に、図１２）に示すように、各電線収容部の後方側端の近傍部分の底面には、電線１０をストレインリリーフとするための突起２４が形成されている。この場合、ストレインリリーフとは、電線１０における突起２４より後方側に位置する部分に対して後方側への引張応力を付与しても、電線１０における突起２４より前方側に位置する部分には、その引張応力が作用しないことを指す。
【００２３】
図１０及び図１３に示すように、各電線収容部における前後方向中央に対して後方寄り且つ突起２４よりも前方側の位置には、電線１０の前方側への抜けを防止するための段部２５が設けられている。具体的には、この段部２５に、電線１０における被覆１２の前端面が係止されることで、電線１０の前方側への抜けが防止される（図１３，１５，４１参照）。
【００２４】
以下、ハウジング２０に電線１０を保持（固定）する際の手順について、図１３〜図１６を参照しながら説明する。先ず、図１３及び図１４に示すように、電線１０を、接触部１３の折り返し部１４が溝２３の前方側に位置するように、電線収容部に載置する。
【００２５】
次に、この状態から、図１５及び図１６に示すように、電線１０を、ハウジング２０に対して後方側に、折り返し部１４の根元部が溝２３の端縁（ハウジング２０の前端面）に当接するまで、引き込む。この結果、折り返し部１４が溝２３に係止された状態が得られる（特に、図１６参照）。この結果、電線１０がハウジング２０に保持（固定）される。
【００２６】
次に、図１７〜図２７を参照しながら、カバー３０について説明する。カバー３０として、本例では、上カバー３０Ａと、下カバー３０Ｂが使用される（図２参照）。上カバー３０Ａは、ハウジング本体２１の上面側に組み付けられて、上面側の端子収容部の上方を塞ぐ機能を有し、下カバー３０Ｂは、ハウジング本体２１の下面側に組み付けられて、下面側の端子収容部の下方を塞ぐ機能を有する。
【００２７】
先ず、図１７〜図１９を参照しながら、上カバー３０Ａについて説明する。図１７は、ハウジング本体２１への組み付け時の向きの上カバー３０Ａを示し、図１８は、裏返した上カバー３０Ａを示す。
【００２８】
上カバー３０Ａは、略平板状のカバー本体３１を備える。カバー本体３１の下面には、ハウジング本体２１の立壁２２に対応して、幅方向に間隔を空けて前後方向に延びる複数の立壁３２が一体に形成されている。これにより、上カバー３０Ａのハウジング２０への組み付け状態では、ハウジング本体２１の端子収容部の上方が上カバー３０Ａにより塞がれて、前後方向に連続する筒状の形状を有する端子収容部が構成される。
【００２９】
上カバー３０Ａのカバー本体３１の下面における前後方向略中央部分には、図１９に示すように、下方に突出すると共に前後方向に延びる複数の突起部３３が、幅方向における複数の端子収容部の位置（隣接する立壁３２の間の位置）に一体で形成されている。突起部３３は、後述するように、上カバー３０Ａのハウジング２０への組み付け状態において、電線１０の露出した導体芯線１１（接触部１３より後方側の部分）をハウジング２０側へ押さえ付けて電線１０を固定する機能を果たす。
【００３０】
上カバー３０Ａのカバー本体３１の下面における後方側端の近傍部分には、図１９に示すように、上方に窪んだ複数の窪み部３４が、幅方向における複数の端子収容部の位置（隣接する立壁３２の間の位置）に一体で形成されている。窪み部３４は、後述するように、上カバー３０Ａのハウジング２０への組み付け状態において、ハウジング２０の突起２４との協働により、電線１０のストレインリリーフを達成する機能を果たす。
【００３１】
上カバー３０Ａのカバー本体３１の幅方向両端部には、ハウジング２０への組み付け時において、下カバー３０Ｂの係合部３６（図２０参照）とそれぞれ係合する係合部３５が一体で形成されている。また、上カバー３０Ａのカバー本体３１の前端部における幅方向中央部には、ハウジング２０への組み付け時において、ハウジング２０の係合部２７（図８参照）と係合する係合部３７が一体で形成されている。
【００３２】
次に、図２０〜図２１を参照しながら、下カバー３０Ｂについて説明する。図２０は、ハウジング本体２１への組み付け時の向きの下カバー３０Ｂを示す。上カバー３０Ａ及び下カバー３０Ｂの構成は、上下方向に対称であることを除き、若干の相違はあるものの、大略的には同様である。従って、下カバー３０Ｂについては、上カバー３０Ａの各構成に対応する構成に対して上カバー３０Ａと同じ符号を付すことで、それらの説明に代える。
【００３３】
図２２〜図２７に示すように、上カバー３０Ａ及び下カバー３０Ｂがハウジング２０に組み付けられた状態では、上カバー３０Ａの係合部３７（図１７参照）とハウジング２０の係合部２７（図８参照）とが互いに係止され、且つ、上カバー３０Ａの複数の係合部３５と下カバー３０Ｂの複数の係合部３６とが互いに係止されている。これらの協働により、上カバー３０Ａ及び下カバー３０Ｂそれぞれがハウジング２０に対して相対移動不能に組み付けられ、且つ、上カバー３０Ａ及び下カバー３０Ｂ同士も相対移動不能に組み付けられる。
【００３４】
更に、図２４及び図２６に示すように、上カバー３０Ａ及び下カバー３０Ｂそれぞれの突起部３３が、電線１０の露出した導体芯線１１（接触部１３より後方側の部分）をハウジング２０側へ押さえ付けている。この結果、電線１０がハウジング２０に対して確実に固定され得る。
【００３５】
更に、図２５及び図２７に示すように、上カバー３０Ａ及び下カバー３０Ｂそれぞれの窪み部３４が、ハウジング２０の突起２４との協働により、電線１０を山形に隆起するように上下方向に押さえつけている。この結果、電線１０のストレインリリーフが達成される。
【００３６】
次に、図２８を参照しながら、コネクタカバー４０について説明する。コネクタカバー４０は、上下方向に互いに対向するように配置された一対の板状の電線収容部４１と、下側の電線収容部４１の後方側に一体に延出形成された電線保持部４２と、を備える。コネクタカバー４０は、一対の電線収容部４１それぞれの前方側端部に設けられた係合部４３を、ハウジング２０に組み付けられた状態にある上カバー３０Ａ及び下カバー３０Ｂそれぞれの後方側端部に設けられた係合部（図示省略）に取り付けることで、ハウジング２０の後端面から後方側へ突出するように、ハウジング２０に固定される（図１参照）。
【００３７】
一対の電線収容部４１は、ハウジング２０から後方側に延びる複数の電線１０を収容して保護する機能を有する。電線保持部４２は、ハウジング２０から後方側に延びる複数の電線１０を束ねて保持するために使用される部位である。ハウジング２０から後方側に延びる複数の電線１０は、タイバンド等を利用して束ねた状態で電線保持部４２に保持されることになる。以上、コネクタ１について説明した。
【００３８】
次に、図２９〜図３８を参照しながら、図３及び図４に示す相手側コネクタ２を構成する各部品について順に説明する。
【００３９】
先ず、図２９〜図３０を参照しながら、相手側端子５０について説明する。図２９に示すように、相手側端子５０として、本例では、図２９（ａ）に示す相手側端子５０Ｂと、図２９（ｂ）に示す相手側端子５０Ａと、が使用される。相手側端子５０Ａは、相手側ハウジング６０に形成されている上下２段に位置する端子収容孔６２（図３２参照）のうち上段の端子収容孔６２に挿入される端子であり、相手側端子５０Ｂは、下段の端子収容孔６２に挿入される端子である。
【００４０】
相手側端子５０Ａ，５０Ｂは共に、板状金属部材にプレス加工・曲げ加工等を施すことで形成された雄端子であり、電線１０の接触部１３（図６参照）と接触する接続部５１と、接続部５１の後方側に連続する圧入部５２と、圧入部５２の後方側に連続するタブ部５３と、を備える。
【００４１】
相手側端子５０Ａ，５０Ｂの接続部５１には、短冊状の金属版を折り曲げて形成されたばね板部５４が配置されている。ばね板部５４の頂部が電線１０の接触部１３と接触することになる。接続部５１の前方側端部には、ばね板部５４を保護するための保護壁部５５が設けられている。保護壁部５５は、ばね板部５４の前方側の折り曲げ部に外力が及んで、ばね板部５４の折り曲げ部が変形することを防止する機能を有する。
【００４２】
相手側端子５０Ａ，５０Ｂの圧入部５２には、上下方向に延びる一対の側壁の上下方向両側にて上下方向に突出する複数の爪部５６が設けられている（特に、図３０参照）。後述するように、爪部５６は、相手側端子５０を端子収容孔６２に挿入する際に、端子収容孔６２に設けられた圧入段部６４に圧入される。
【００４３】
相手側端子５０Ａ，５０Ｂのタブ部５３は、クランク状に屈曲形成されており、前後方向に延びるタブ部５３の先端部は、相手側ハウジング６０が基板（図示省略）に実装された際に、当該基板の回路に接続されることになる。
【００４４】
次に、図３１〜図３８を参照しながら、相手側ハウジング６０について説明する。図３１に示すように、相手側ハウジング６０は、略直方体状のハウジング本体６１を有する。ハウジング本体６１の後方側部分には、図３２及び図３６から理解できるように、上下２段に位置する複数の端子収容孔６２が形成されている。ハウジング本体６１の前方側部分の内部には、図３１及び図３６から理解できるように、複数の端子収容孔６２に連続する嵌合空間６３が形成されている。
【００４５】
各端子収容孔６２の後方側端部の上下壁には、図３３に示すように、圧入段部６４が形成されている。図３６及び図３７に示すように、各端子収容孔６２の前方側端部には、ストッパ部６６が突設されている。相手側端子５０は、接続部５１の前方側端部（保護壁部５５）がストッパ部６６に当接するまで端子収容孔６２に挿入される（図３８参照）。これにより、相手側端子５０が端子収容孔６２の正規位置に収容された状態が得られる。相手側端子５０が正規位置にある状態では、接続部５１のばね板部５４が嵌合空間６３に臨むように位置する（図３８参照）。
【００４６】
相手側端子５０が正規位置に収容された状態では、図３４に示すように、相手側端子５０の圧入部５２の爪部５６が圧入段部６４に圧入されている。これにより、相手側端子５０が端子収容孔６２の正規位置にて保持（固定）されると共に、相手側端子５０と相手側ハウジング６０との間のガタが抑制される。
【００４７】
相手側ハウジング６０には、図３１に示すように、一対のペグ７０（図４参照）を取り付けるための一対の取付部６５が設けられている。相手側ハウジング６０は、一対の取付部６５に一対のペグ７０を取り付けた状態で、一対のペグ７０を利用して、基板に実装され固定される。以上、相手側コネクタ２について説明した。
【００４８】
次に、図３９〜４２を参照しながら、コネクタ１と相手側コネクタ２とが嵌合した嵌合状態について説明する。図３９及び図４１から理解できるように、コネクタ１が相手側コネクタ２の嵌合空間６３に挿入されることで、コネクタ１と相手側コネクタ２とが嵌合状態となる。
【００４９】
嵌合状態では、図４２に示すように、コネクタ１側の電線１０の接触部１３と、相手側コネクタ２側の相手側端子５０のばね板部５４とが上下方向において押圧接触している。これにより、電線１０と相手側端子５０とが電気的に接続される。
【００５０】
更に、図４１〜図４２に示すように、相手側ハウジング６０に設けられた溝に、ハウジング２０（ハウジング本体２１）の前方側の端縁部が挿入されている。なお、当該溝に、当該端縁部が圧入されてもよい。これにより、ハウジング２０と相手側ハウジング６０との間のガタが抑制される。
【００５１】
以上、本発明の実施形態に係るコネクタ１によれば、相手側端子５０と接触する端子を廃止し、電線１０の導体芯線１１自体を相手側端子５０と接触させることで、コネクタ１の低背化が達成可能である。更に、上方が開口した電線収容部に電線１０を載置し、その電線１０を後方側に引き込む、という極めて単純な動作を行うだけで、電線１０がハウジング２０に確実に保持され得る。以上より、コネクタ１の低背化が可能であり、且つ、端子に代わる電線１０の組み付け性が良好なコネクタ１を提供することができる。
【００５２】
更に、電線１０の接触部１３の平面部に相手側端子５０を接触させることで、接触面積を確保し、接触抵抗の増大を抑制できる。
【００５３】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５４】
上記実施形態では、カバー３０とコネクタカバー４０とが別体で構成されている（図２参照）。これに対し、カバー３０とコネクタカバー４０とが一体で構成されていてもよい。
【００５５】
ここで、上述した本発明に係るコネクタ１の実施形態の特徴をそれぞれ以下［１］〜［３］に簡潔に纏めて列記する。
［１］
導体芯線（１１）と前記導体芯線（１１）を覆う被覆（１２）とを含む電線（１０）であって電線（１０）から露出した導体芯線（１１）が相手側端子との接触部（１３）として機能する電線（１０）と、
上方が開放されると共に前記電線（１０）を保持する電線収容部を有する板状のハウジング（２０）と、
を備え、
前記接触部（１３）の先端部分には、前記被覆（１２）側に向けて一側に折り返された折り返し部（１４）が設けられ、
前記ハウジング（２０）における前記電線収容部の前方側端に位置する前端面には、前方側に開口すると共に前後方向に延びる溝（２３）が設けられ、
前記折り返し部（１４）が前記溝（２３）に係止されることで、前記電線（１０）が前記ハウジング（２０）に保持される、コネクタ（１）。
［２］
上記［１］に記載のコネクタ（１）において、
前記折り返し部（１４）が前記溝（２３）の前方側に位置するように前記電線収容部に載置された前記電線（１０）を前記ハウジング（２０）に対して後方側に引き込むことで、前記折り返し部（１４）が前記溝（２３）に進入可能に構成された、コネクタ（１）。
［３］
上記［１］又は上記［２］に記載のコネクタ（１）において、
前記接触部（１３）における前記一側と反対の他側の側面に、前記相手側端子が接触する平面部が設けられた、コネクタ（１）。
【符号の説明】
【００５６】
１      コネクタ
１０    電線
１１    導体芯線
１２    被覆
１３    接触部
１４    折り返し部
２０    ハウジング
２３    溝
【図１】
2020087675.tif 000003
【図２】
2020087675.tif 000004
【図３】
2020087675.tif 000005
【図４】
2020087675.tif 000006
【図５】
2020087675.tif 000007
【図６】
2020087675.tif 000008
【図７】
2020087675.tif 000009
【図８】
2020087675.tif 000010
【図９】
2020087675.tif 000011
【図１０】
2020087675.tif 000012
【図１１】
2020087675.tif 000013
【図１２】
2020087675.tif 000014
【図１３】
2020087675.tif 000015
【図１４】
2020087675.tif 000016
【図１５】
2020087675.tif 000017
【図１６】
2020087675.tif 000018
【図１７】
2020087675.tif 000019
【図１８】
2020087675.tif 000020
【図１９】
2020087675.tif 000021
【図２０】
2020087675.tif 000022
【図２１】
2020087675.tif 000023
【図２２】
2020087675.tif 000024
【図２３】
2020087675.tif 000025
【図２４】
2020087675.tif 000026
【図２５】
2020087675.tif 000027
【図２６】
2020087675.tif 000028
【図２７】
2020087675.tif 000029
【図２８】
2020087675.tif 000030
【図２９】
2020087675.tif 000031
【図３０】
2020087675.tif 000032
【図３１】
2020087675.tif 000033
【図３２】
2020087675.tif 000034
【図３３】
2020087675.tif 000035
【図３４】
2020087675.tif 000036
【図３５】
2020087675.tif 000037
【図３６】
2020087675.tif 000038
【図３７】
2020087675.tif 000039
【図３８】
2020087675.tif 000040
【図３９】
2020087675.tif 000041
【図４０】
2020087675.tif 000042
【図４１】
2020087675.tif 000043
【図４２】
2020087675.tif 000044